(57)【要約】【課題】細径シリンジの手打ち注入において特に高圧力が要求される高粘度薬剤（造影剤及びその懸濁液）の注入に対し、粘性軽減を目的とした加温をシリンジ自体で行わせることの出来る小型シリンジ専用の加温システムを提供する。【解決手段】細径シリンジ（Φ１８ｍｍ以下）外周部全周への巻き付け貼用に柔軟に対応しうる薄型フィルム（ＰＥＴ等）の一方の面へ、導電性粒子（Ａｇ等）による微細なメッシュ状のパターン印刷を施すことで加温素子とし、該加温素子が間隔をおいて設定される双電極によって電気的に接続され、面状に発熱を生じさせる様に構成することができる。【選択図】図１
2019084318.tif 000002
【特許請求の範囲】
【請求項１】
細径シリンジ（Φ１８ｍｍ以下）外周部全周への巻き付け貼用において柔軟に対応しうる薄型フィルム（ＰＥＴ等）の一方の面へ、導電性粒子（Ａｇ等）によるメッシュ状のパターン印刷を施すことで加温素子とし、該加温素子が間隔をおいて設定された双電極によって電気的に接続され、面状に発熱を生じることを特徴とする、
小型シリンジ用加温システム。
【請求項２】
前記薄型フィルムへのメッシュ状のパターン印刷が、透明のフィルムに対して１００μｍ程度の微細な線にて行われることで、シリンジ内残量の確認にも支障のない透明性を維持することを特徴とする、
小型シリンジ用加温システム。
【請求項３】
前記薄型フィルムの柔軟性が、従来工程より印刷面への保護（フィルムの貼り付け）を溶剤の塗布にて代用する事で簡略化させ、その厚さの半分を減じた極薄化（０，１ｍｍ以下）を可能とし、最小シリンジΦ９ｍｍへの巻き付けにも容易に対応し、ヒビ割れや折れ曲がりを生じることの無い最適の弾力を有することを特徴とする、
小型シリンジ用加温システム。
【請求項４】
前記加温素子の熱出力が、３Ｖの印加において、室温２４〜２７℃の環境下にて３７〜４５℃の面状発熱を発生しうる設計にてのメッシュ印刷がなされることを特徴とする、
小型シリンジ用加温システム。
【請求項５】
前記加温素子への電気的接続が、１．５Ｖ乾電池の乗数（２本）にての使用を可能とする３Ｖにおいて設計されたことにより、利用場所を選ばない自在性を得ると伴に、許容以上の過加温の無い安全性を有することを特徴とする、
小型シリンジ用加温システム。
【請求項６】
前記薄型フィルムの加温素子部が、その上面に貼用設定される可逆性液晶温度シール（２６〜４６℃範囲）を備え、±０．５℃の精度において前記細径シリンジ外周温度の確認を容易とさせ、より安全な加温に寄与することを特徴とする、
小型シリンジ用加温システム。
【発明の詳細な説明】
【発明の詳細な説明】
【技術分野】
【０００１】本発明は、医療の分野におけるＸ線環境下にての微量薬液注入に関し、特には、肝動脈化学塞栓術（ＴＡＣＥ）、内視鏡的逆行性膵胆管造影術（ＥＲＣＰ）、脳動脈瘤コイル塞栓術等のマイクロカテーテル治療に用いられる高粘度薬剤（造影剤及び抗癌剤など）を好適温度に加温し、粘度低減を図らせ得る小型シリンジ用加温システムに関するものである。
【背景技術】
【０００２】  経皮的に血管内に挿入したカテーテルを脳や腹部等の臓器に導き、治療薬、塞栓物質、造影剤等を投与、注入する医療行為は従来から行われている。近年、医学の進歩により、更に細い末梢血管への治療薬、塞栓物質、造影剤等の注入が必要となり、これらの細い末梢血管に挿入できるマイクロカテーテルの機能性向上等に関する研究開発が盛んとなっている。【０００３】これらマイクロカテーテルの研究開発では、曲がりくねった細い末梢血管を術者の操作により確実に進めていく必要があるため、様々な操作性が要求される。この要求機能には、術者の押込み力をマイクロカテーテルの先端まで確実に伝達する押込み性（プッシャビリティー）、術者により加えられた回転力をマイクロカテーテルの先端まで確実に伝達するトルク伝達性、マイクロカテーテルの内腔を通っているガイドワイヤーに沿って、曲がった血管内を進むガイドワイヤー追随性、そして血管の屈曲部や湾曲部でもマイクロカテーテルが折れ曲がりを生じない耐キンク性などがあげられ、これらの操作性を実現するために、編組構造やコイル構造をとった補強層を構成することも多くのマイクロカテーテルで行われている。（特許文献１−３参照）【０００４】このため、マイクロカテーテルの内腔は細径化（最小内径０，４３ｍｍ）を辿る一方となっており、加えて有効長の延長（最長２，０３０ｍｍ）も進んでいることからその手押し注入には益々負担が課せられる状況があり、注入の圧及び速度が一定に保てない等の問題が生じ、鮮明な画像を得られない（血管のコントラストが悪い）又は薬剤を目的部位まで届けられない（治療が完成しない）等で、医療の質が上げられない要因となっている。【０００５】しかしながら、それらを解決またはアシストさせる等への試みは殆んど成されておらず、既存の大型加温装置（ウォーターバス等）の流用加温による方法（非特許文献１参照）又は、高量の持続注入に対して薬液容器直接又は薬液充填注入装置からカテーテル間を繋ぐ接続チューブ自体を加温する方法が２件、近年公開の特許文献に開示されている程度である。（特許文献４−５参照）【０００６】
【特許文献１】特開２００８−２９５８２５  号公報
【特許文献２】特開２００９−８９８１４  号公報
【特許文献３】特開２０１４−１１３４８５  号公報
【特許文献４】特開２００６−６８２６４  号公報
【特許文献５】特開２０１０−２７９６９８  号公報
【非特許文献１】新薬と臨牀  雑誌  Ｊ．Ｎｅｗ  Ｒｅｍ．＆  Ｃｌｉｎ．Ｖｏｌ  ６１  Ｎｏ５  ２０１２  加温ミリプラチン−リピオドールの初期臨床効果
【発明の開示】
【発明が解決しようとする課題】
【０００７】これら上述技術の活用法においては、いずれの方法にしても課題があり、非特許文献１は薬剤容器的に有利な加温法で、その使用に搬送及び煩雑な注水操作を伴う重装備品であり、またもう一方の特許文献１・２では、薬液容器直接又は薬液充填注入装置とｃａｔｈｅｔｅｒ間を延長管で結ぶ高量持続注入での使用が大前提とされていることから、１０ｃｃ以下の様な小型シリンジ直接による使用時直前での簡単加温等への考慮は一切なく、特に微量注入には不向きである。【０００８】そこで、本発明は、マイクロカテーテルに直接接続することができ、量・圧・保温の制御が容易な小型シリンジをベースとした加温システムを提供することを目的とする。
【課題を解決するための手段】
【０００９】本発明者は、低抵抗型の透明フィルム（ＰＥＴ等）の一方の面へ、導電性粒子（Ａｇ等）によるメッシュ状のパターン印刷（１００μレベル）を施し、電気的接続により面状に発熱を生じる加温素子とさせ、細径シリンジ外周部全周への巻き付け貼用にも柔軟に対応しうるｈｅａｔｅｒとして、連続的かつ最適な加温が図れることを見出し、それに基づき小型シリンジ用加温システムに係る本発明を完成するに至った。【００１０】すなわち本発明に掛る小シリンジ加温注入システムは、小シリンジと薄型透明フィルムｈｅａｔｅｒとの組み合わせ構成により最小化を図り、マイクロカテーテルへの直接接続を可能とすることにより手圧注入の手軽さはそのままに、注入圧の低減化に働きかけることを特徴とする、小型シリンジ用加温システムを提供するものである。【００１１】また、上述した前記薄型透明フィルムｈｅａｔｅｒへの電気的接続が、より簡単且つ安全に導けることが好ましく、また、その取り回しにおいては治療操作の妨げとならないように行えることがより一層好ましい。【００１２】上述した前記薄型透明フィルムｈｅａｔｅｒの柔軟性が、１０ｃｃシリンジ（Φ１８）への巻き付け装着時にもヒビ割れや折れ曲がりを生じさせず行えることが好ましく、また更には最小１ｃｃシリンジ（Φ９）への巻き付け装着時においても同様かつ容易に行えることがより一層好ましい。【００１３】上述した前記薄型透明フィルムｈｅａｔｅｒの加温状態の確認が、注入操作の妨げとならない形態において行えることが好ましく、また複雑な電気的回路を不要として簡単に行えることがより一層好ましい。【００１４】上記第１の課題解決手段による作用は次の通りである。
前記薄型透明フィルムｈｅａｔｅｒへの電気的接続が、１．５Ｖ乾電池の乗数（２本）にての使用を可能とする３Ｖにおいて設計されたことにより、利用場所を選ばない自在性を得ると伴に、許容以上の過加温の無い安全性に働きかけるという相乗効果を発揮することができる。【００１５】また、上記第２の課題解決手段による作用は次の通りである。
前記薄型透明フィルムｈｅａｔｅｒの柔軟性が、従来工程より印刷面への保護（フィルムの貼り付け）を溶剤の塗布にて代用する事で簡略化させ、その厚さの半分を減じた極薄化（０，１ｍｍ以下）を可能とし、最小シリンジΦ９ｍｍへの巻き付けにも容易に対応し、ヒビ割れや折れ曲がりを生じることの無い最適の弾力を発揮することができる。【００１６】また、上記第３の課題解決手段による作用は次の通りである。
前記薄型透明フィルムｈｅａｔｅｒの加温状態の確認が、その上面に貼用設定される可逆性液晶温度シール（２６〜４６℃範囲）を備えることでは、電源を不要とした±０．５℃の精度において前記小シリンジ外周温度の確認を容易にさせると伴に、注入操作にも支障を来さない最適性に働きかけるという相乗効果を発揮することができる。
【発明の効果】
【００１７】本発明の小シリンジ加温注入システムを用いれば、簡単な操作で注入時における過剰な高圧注入の低減化を図った微量注入が可能となる。即ち、本発明は、制御装置等の大幅な開発を一切必要とせず、既存の小型シリンジをベースとした付属品的開発に関し、ポータブル特性を生かしながら簡便かつ効果的に減圧微量注入に働きかけることから、マイクロカテーテルの使用現場での利用に極めて有利である。さらに、本発明方法により得られる効果として抗癌剤治療への治療効果の向上、合併症の軽減、治療の完遂率向上、患者のＱＯＬの向上、に寄与すると言う点でも特に有利である。【００１８】また、本発明の小型シリンジ用加温システムは、特に、近年のがんの治療難民の社会問題化に係り、その対策としてがん難民が望みをかける塞栓治療（マイクロカテーテルから塞栓物質を送り込んで癌の栄養源を断つ）への利用の可能性が高まりつつあることや、よりシンプルな構造に付き比較的容易に物作りが行え、またその使用に一切の事前準備（ウォーターバスの搬入及び注水作業など）を不要とすることでは、衛生上からも良好に使用でき、安全性の面でも問題がない（乾電池印加に付き許容電圧以上の過加温がない）と思われる等より実用化への期待は大きい。
【図面の簡単な説明】
【００１９】
【図１】本発明の小型シリンジ用加温システム（１００）における実施の形態を示す、構成図である。
【図２】図１の小型シリンジ用加温システム（１００）に使用される極薄型透明フィルムｈｅａｔｅｒ（１０ｂ）とコネクター付熱源コード（１０ｃ）とスイッチ付き電池ＢＯＸ（１０ｄ）の拡大構成図である。
【図３】加温実験における、３Ｖ印加（単三乾電池×２本）での発熱温度反び持続時間を示すグラフ図である。
【図４】加温実験における、シリンジ内温度と液晶温度シールによる外部温度との相関を示すグラフ図である。
【発明を実施するための形態】
【００２０】以上のような効果を奏することができる小型シリンジ用加温システム（１００）は、図１の構成図に示すように、小型シリンジ（１０ａ）の外周部全周に対し、巻き付け貼用（１０ｂ）にて設定され、コネクター付熱源コード（１０ｃ）及びスイッチ付き電池ＢＯＸ（１０ｄ）によって電気的に接続され、その加温を開始させるものである。
【００２１】以下、本発明の実施の形態の小型シリンジ用加温システム（１００）につき、図１〜図４を用いて詳細に説明する。
【００２２】図１は、小型シリンジ用加温システム（１００）全体の組み立て構成を、１０ａは小型シリンジ部を、１０ｂは極薄型透明フィルムｈｅａｔｅｒ部を示し、また１０ｃと１０ｄは１０ｂに接続して用いるコネクター付熱源コード部とスイッチ付き電池ＢＯＸ部を示す。
【００２３】図２の１０ｂは、極薄型透明フィルムｈｅａｔｅｒ部（１０ｂ）の平面拡大構成から、１０ｂ１は極薄透明フィルムを、１０ｂ２は電極を、１０ｂ３はメッシュ状発熱素子を、１０ｂ４は熱源接続端子を、１０ｂ５は液晶温度シールを示す。
【００２４】図２の１０Ｒ１は、１０ｂの平面状極薄型透明フィルムｈｅａｔｅｒをロール状に丸めた状態の正面から、１０ｂ１は極薄透明フィルムを、１０ｂ４は熱源接続端子を、１０ｂ５は液晶温度シールを、１０ｂ６は接着剤貼り付け部を示す。
【００２５】図２の１０Ｒ２は、１０ｂの平面状極薄型透明フィルムｈｅａｔｅｒをロール状に丸めた状態の側面から、１０ｂ１は極薄透明フィルムを、１０ｂ４は熱源接続端子を、１０ｂ５は液晶温度シールを、１０ｂｃ１はコネクター付熱源コードを示す。
【００２６】図２の１０ｄは、スイッチ付き電池ＢＯＸの拡大構成から、１０ｄ１は単三電池×２本用ＢＯＸを、１０ｄ２はＯＮ−ＯＦＦ切替えｓｗｉｔｃｈを、１０ｄ３はスイッチ付き電池ＢＯＸ用カバーを、１０ｃ１はコネクター付熱源コードを示す。
【００２７】図３は、小型シリンジ（１０ａ）への装着加温時における温度状態の推移から、Ｔ１は小型シリンジ内の経過温度を、Ｔ２は環境の経過温度を示す。
【００２８】このような機能を有する小型シリンジ用加温システム（１００）の使用方法について、図１−２を参照して説明する。
【００２９】まず、図２の平面状極薄型透明フィルムｈｅａｔｅｒ（１０ｂ）を小型シリンジ（１０ａ）に巻き付けて図１状とする。
【００３０】次に、熱源接続端子（１０ｂ４）にコネクター付熱源コード（１０ｃ１）を接続して図１状とした後にスイッチ付き電池ＢＯＸ（１０ｄ）のＯＮ−ＯＦＦ切替えｓｗｉｔｃｈ（１０ｄ２）を操作して加温を開始させる。
【００３１】なお、上記、図に説明の前記小型シリンジ用加温システム（１００）に付いては、これらに限定することなく、本発明の趣旨に基づいて様々な形態またはサイズ等への変更および付加が可能であり、これらを本発明の範囲から排除するものではない。
【基礎実験例】
【００３２】以下に、本発明の小型シリンジ用加温システム（１００）の加温機能に関する基礎実験例につき、図３・４を用いて詳細に説明する。
【００３３】図３は、２５℃程度に調整された水を小型シリンジ（１０ｍｌ）へ入れ、極薄型透明ｆｉｌｍ−ｈｅａｔｅｒの巻き付け装着を施し、たものと非装着ものとの２種の温度推移を比較した。
【００３４】図３は、極薄型透明ｆｉｌｍ−ｈｅａｔｅｒの巻き付け装着が施された小型シリンジ（１０ｍｌ）へ、２５℃程度に調整された水を入れて加温（単三電池×２本による３Ｖ印加）を開始させ、その温度推移を環境温度と伴に測定した。
使用機材として、（株）佐藤商事３チャンネル温度計データロガＭＴＭ−３８０ＳＤＪに、環境温度測定用として素線温度センサーＴＰ−３００と、シリンジ内温度測定用としてシース型温度センサーＴＬ−３２Ｋ（センサー先端部  Φ３．８ｍｍ×長さ１２０ｍｍ）との２本を使用。
「結果」
２６〜２７℃の環境温度下において、３７℃〜４５℃の加温が５時間継続していることが分る。
【００３５】図４は、極薄型透明ｆｉｌｍ−ｈｅａｔｅｒの巻き付け装着が施された小型シリンジ（１０ｍｌ）へ、２５℃程度に調整された水を入れて加温（単三電池×２本による３Ｖ印加）を開始させ、その温度推移を液晶温度シールによる小型シリンジ外面温度と伴に比較測定した。
使用機材として、（株）佐藤商事３チャンネル温度計データロガＭＴＭ−３８０ＳＤＪに、シリンジ内温度測定用としてシース型温度センサーＴＬ−３２Ｋ（センサー先端部  φ３．８ｍｍ×長さ１２０ｍｍ）と、シリンジ外面温度測定用としてアセイ工業（株）の可逆性液晶温度シールＮ−２６−４６Ｄとの２種を使用。
「結果」
本件加温目標温度とする３７℃〜４５℃の加温においての差は１℃以内で推移していることが分る。
【符号の説明】
【００３６】１００    小型シリンジ用加温システムの実施形態構成図
１０ａ    小型シリンジ
１０ｂ    平面状極薄型透明フィルムｈｅａｔｅｒ
１０ｂ１  極薄透明フィルム
１０ｂ２  電襁
１０ｂ３  メッシュ状発熱素子
１０ｂ４  熱源接続端子
１０ｂ５  液晶温度シール
１０Ｒ１  １０ｂの平面状極薄型透明フィルムｈｅａｔｅｒをロール状に丸めた状態の正面
１０ｂ６  接着剤貼り付け部
１０Ｒ２  １０ｂの平面状極薄型透明フィルムｈｅａｔｅｒをロール状に丸めた状態の側面
１０ｃ１  コネクター付熱源コード
１０ｄ    スイッチ付き電池ＢＯＸ
１０ｄ１  単三電池×２本用ＢＯＸ
１０ｄ２  ＯＮ−ＯＦＦ切替えｓｗｉｔｃｈ
１０ｄ３  スイッチ付き電池ＢＯＸ用カバー
Ｔ１      加温温度
Ｔ２      環境温度
【図１】
2019084318.tif 000003
【図２】
2019084318.tif 000004
2019084318.tif 000005
【図３】
2019084318.tif 000006
【図４】
2019084318.tif 000007
【手続補正書】
【提出日】平成30年2月2日(2018.2.2)
【手続補正１】
【補正対象書類名】明細書
【補正対象項目名】００１９
【補正方法】変更
【補正の内容】
【００１９】
【図１】１００は本発明の実施形態の組み立て全体図を示し、その内１０ａは小型シリンジを、１０ｂは極薄型透明フィルムｈｅａｔｅｒを、１０ｃは接続コネクター付電源ＢＯＸを示す。
【図２】図１の小型シリンジ用加温システム（１００）の内の極薄型透明フィルムｈｅａｔｅｒ（１０ｂ）の詳細を示す構成図である。
【図３】図１の小型シリンジ用加温システム（１００）の内の接続コネクター付き電池ＢＯＸ（１０ｃ）の詳細を示す構成図である。
【図４】加温実験における、３Ｖ印加（単三乾電池×２本）での発熱温度及び持続時間を示すグラフ図である。
【図５】加温実験における、シリンジ内温度と液晶温度シールによる外部温度との相関を示すグラフ図である。
【手続補正２】
【補正対象書類名】明細書
【補正対象項目名】００２０
【補正方法】変更
【補正の内容】
【００２０】以上のような効果を奏することができる小型シリンジ用加温システム（１００）は、図１の全体組立図に示すように、小型シリンジ（１０ａ）の外周部全周に対し、１０ｂ状に巻き付け貼用にて設定され、接続コネクター付電源ＢＯＸ（１０ｃ）によって電気的に接続され、その加温を開始させるものである。
【手続補正３】
【補正対象書類名】明細書
【補正対象項目名】００２２
【補正方法】変更
【補正の内容】
【００２２】図１は、小型シリンジ用加温システム（１００）全体の組み立て構成を、１０ａは小型シリンジ部を、１０ｂは極薄型透明フィルムｈｅａｔｅｒ部を示し、また１０ｃは１０ｂに接続されるコネクター付き電池ＢＯＸ部を示す。
【手続補正４】
【補正対象書類名】明細書
【補正対象項目名】００２３
【補正方法】変更
【補正の内容】
【００２３】図２の１０ｂは、極薄型透明フィルムｈｅａｔｅｒ部の平面詳細図で、１０ｂ１は極薄透明フィルムを、１０ｂ２は電極を、１０ｂ３はメッシュ状発熱素子を、１０ｂ４は熱源接続端子を、１０ｂ５は液晶温度シールを示し、また、１０Ｒ１は、１０ｂの平面状極薄型透明フィルムｈｅａｔｅｒをロール状に丸めた状態の正面を、１０Ｒ２は、同じくロール状に丸めた状態の側面を示す。尚、１０Ｒ１中の１０ｂ６は接着剤貼り付け部を示す。
【手続補正５】
【補正対象書類名】明細書
【補正対象項目名】００２４
【補正方法】変更
【補正の内容】
【００２４】図３の１０ｃは、接続コネクター付き電池ＢＯＸの平面詳細図から、１０ｄ１は単三電池×２本用ＢＯＸを、１０ｄ２はＯＮ−ＯＦＦ切替えｓｗｉｔｃｈを、１０ｄ３はスイッチ付き電池ＢＯＸ用カバーを、１０ｃ１はコネクター付熱源コードを示す。
【手続補正６】
【補正対象書類名】明細書
【補正対象項目名】００２５
【補正方法】変更
【補正の内容】
【００２５】図４は、小型シリンジ（１０ａ）への装着加温時における温度状態の推移から、Ｔ１は小型シリンジ内の経過温度を、Ｔ２は環境の経過温度を示す。
【手続補正７】
【補正対象書類名】明細書
【補正対象項目名】００２６
【補正方法】変更
【補正の内容】
【００２６】このような機能を有する小型シリンジ用加温システム（１００）の使用方法について、図１−３を参照して説明する。
【手続補正８】
【補正対象書類名】明細書
【補正対象項目名】００２７
【補正方法】変更
【補正の内容】
【００２７】まず、図２の平面状極薄型透明フィルムｈｅａｔｅｒ（１０ｂ）を小型シリンジ（１０ａ）に巻き付けて図１状とする。
【手続補正９】
【補正対象書類名】明細書
【補正対象項目名】００２８
【補正方法】変更
【補正の内容】
【００２８】次に、熱源接続端子（１０ｂ４）に接続コネクター（１０ｃ１）を接続して図１状とした後に電池ＢＯＸのＯＮ−ＯＦＦ切替えｓｗｉｔｃｈ（１０ｃ２）を操作して加温を開始させる。
【手続補正１０】
【補正対象書類名】明細書
【補正対象項目名】００２９
【補正方法】変更
【補正の内容】
【００２９】なお、上記、図に説明の前記小型シリンジ用加温システム（１００）に付いては、これらに限定することなく、本発明の趣旨に基づいて様々な形態またはサイズ等への変更および付加が可能であり、これらを本発明の範囲から排除するものではない。
【手続補正１１】
【補正対象書類名】明細書
【補正対象項目名】００３０
【補正方法】変更
【補正の内容】
【００３０】以下に、本発明の小型シリンジ用加温システム（１００）の加温機能に関する基礎実験例につき、図４・５を用いて詳細に説明する。
【手続補正１２】
【補正対象書類名】明細書
【補正対象項目名】００３１
【補正方法】変更
【補正の内容】
【００３１】図４は、２５℃程度に調整された水を小型シリンジ（１０ｍｌ）へ入れ、極薄型透明ｆｉｌｍ−ｈｅａｔｅｒの巻き付け装着を施し、たものと非装着ものとの２種の温度推移を比較した。
【手続補正１３】
【補正対象書類名】明細書
【補正対象項目名】００３２
【補正方法】変更
【補正の内容】
【００３２】図５は、極薄型透明ｆｉｌｍ−ｈｅａｔｅｒの巻き付け装着が施された小型シリンジ（１０ｍｌ）へ、２５℃程度に調整された水を入れて加温（単三電池×２本による３Ｖ印加）を開始させ、その温度推移を環境温度と伴に測定した。使用機材として、（株）佐藤商事３チャンネル温度計データロガＭＴＭ−３８０ＳＤＪに、環境温度測定用として素線温度センサーＴＰ−３００と、シリンジ内温度測定用としてシース型温度センサーＴＬ−３２Ｋ（センサー先端部  Φ３．８ｍｍｘ長さ１２０ｍｍ  ）との２本を使用。「結果」２６〜２７℃の環境温度下において、３７℃〜４５℃の加温が５時間継続していることが分る。
【手続補正１４】
【補正対象書類名】明細書
【補正対象項目名】００３６
【補正方法】変更
【補正の内容】
【００３６】１００    小型シリンジ用加温システムの実施形態全体組立図１０ａ    小型シリンジ１０ｂ    平面状極薄型透明フィルムｈｅａｔｅｒ１０ｂ１  極薄透明フィルム１０ｂ２  電極１０ｂ３  メッシュ状発熱素子１０ｂ４  熱源接続端子１０ｂ５  液晶温度シール１０Ｒ１  １０ｂの平面状極薄型透明フィルムｈｅａｔｅｒをロール状に丸めた状態の正面１０ｂ６  接着剤貼り付け部１０Ｒ２  １０ｂの平面状極薄型透明フィルムｈｅａｔｅｒをロール状に丸めた状態の側面１０ｃ    接続コネクター付電源ＢＯＸ１０ｃ１  接続コネクター１０ｃ１  単三電池×２本用ＢＯＸ１０ｃ２  ＯＮ−ＯＦＦ切替えｓｗｉｔｃｈ１０ｃ３  スイッチ付き電池ＢＯＸ用カバーＴ１      加温温度Ｔ２      環境温度
【手続補正１４】
【補正対象書類名】図面
【補正対象項目名】全図
【補正方法】変更
【補正の内容】
【図１】
2019084318.tif 000008
【図２】
2019084318.tif 000009
【図３】
2019084318.tif 000010
【図４】
2019084318.tif 000011
【図５】
2019084318.tif 000012